(57)【要約】【課題】特別のスイッチを必要とせず、また大きなスペースがなくても安定的にロック作動とロック解除作動をさせる。【解決手段】電動モータ２の作動回路のスイッチ１９を設けたスイッチボックス１６とスイッチ１９を押し離し可能に設けたトリガ１５との間に直進運動により挿脱可能に配置された第１のオフロックレバー２０と、一端が第１のオフロックレバー２０に係合し、切断機本体に揺動可能に設けられた第２のオフロックレバー２１とを設け、第２のオフロックレバー２１を揺動させることによって第１のオフロックレバー２０を上記スイッチボックス１６とトリガ１５との間から引き抜き作動させる。【選択図】図４
2010201601.tif 000002
【特許請求の範囲】
【請求項１】
電動モータとのこ刃を回転自在に支持した切断機本体の下部に被切断材上に載置される定盤を設け、上記のこ刃の下部を上記定盤に形成した開口部から下方に突出させ、上記電動モータの出力軸の回転を減速機構を介してのこ刃の回転軸に伝達させる携帯用切断機において、
上記電動モータの作動回路のスイッチを設けたスイッチボックスと上記スイッチを押し離し可能に設けたトリガとの間に直進運動により挿脱可能に配置された第１のオフロックレバーと、一端が第１のオフロックレバーに係合し、切断機本体に揺動可能に設けられた第２のオフロックレバーとを設け、第２のオフロックレバーを揺動させることによって第１のオフロックレバーを上記スイッチボックスとトリガとの間から引き抜き作動させる
ことを特徴とする携帯用切断機。
【請求項２】
上記第１のオフロックレバーには、トリガとスイッチボックスとの間の隙間に挿脱可能なロック部の上部に開口枠部を形成し、第２のオフロックレバーは一端が上記開口枠部に係合し、他端に操作部を有するとともに、中間部が切断機本体側に回動自在に支持されていることを特徴とする、請求項１に記載の携帯用切断機。
【発明の詳細な説明】
【技術分野】
【０００１】
本発明は携帯用切断機に関する。
【背景技術】
【０００２】
一般に、バッテリを搭載した携帯用切断機は、バッテリが装着されているときはいつでもハンドルに設けられたトリガを引くと電源が供給されてのこ刃が回転する。したがって、たとえ作業者が意図せずにトリガに触れた場合や、外的要因によりトリガに力が加わったりした場合でも、のこ刃は回転するので、携帯用切断機にはトリガロック機構が搭載され、安全面に配慮がなされている。
【０００３】
トリガロック機構には、物理的にトリガスイッチとスイッチボックスとの間に挿入してトリガの作動を邪魔する揺動リンクを配置し、この揺動リンクを揺動させてロック状態を解除させる方式のもの（特許文献１、２参照）や、スイッチレバーに空走距離（遊び）を十分に確保して誤動作等を防止する方式のもの（特許文献３参照）や、ロック解除スイッチを押圧することにより電気的にロック状態を解除させる方式のものなどが知られている。
【先行技術文献】
【特許文献】
【０００４】
【特許文献１】特公平８−３２３９６号公報
【特許文献２】特公平７−９０５２１号公報
【特許文献３】特開２００８−１７３７３２号公報
【発明の概要】
【発明が解決しようとする課題】
【０００５】
しかしながら、揺動リンクを用いる方式は、揺動リンクの中間部をハンドルに軸着し、揺動リンクを揺動させて直接にその先端をトリガスイッチの端部に係止させてロックする構成であるから、揺動リンクの支点から先端までの長さが長いと、揺動リンクの先端の運動は直線に近くなる。このため、揺動リンクの先端がトリガスイッチとスイッチボックスとの間の隙間内で描く作動軌跡は直線的になるから、トリガスイッチとスイッチボックスとの間の間隔は小さくてもよい。その反面、揺動リンクの配置スペースを大きくせざるを得ない。
【０００６】
これに対し、揺動リンクの支点から先端までの長さが短いと、揺動リンクの配置スペースは小さくてもよいが、上記先端は円弧状に移動しながらトリガスイッチとスイッチボックスとの間に挿入され、引き抜かれることになる。このように、揺動リンクの先端がトリガスイッチとスイッチボックスとの間の隙間内で描く作動軌跡は円弧であるから、トリガスイッチとスイッチボックスとの間の間隔は大きくしなければならない。間隔が大きくなると、トリガスイッチのストロークを大きくなるから、操作してからスイッチがオンするまでに時間がかかるので操作性がよくないという問題がある。特許文献３のスイッチ機構も同様である。
【０００７】
このように、トリガの操作性を重要視すれば、揺動リンクの配置スペースを大きくせざるを得ず、配置スペースを小さくすると、操作性が損なわれるという問題があった。
【０００８】
また、電気的にトリガスイッチのオン、オフを制御する方式では、ロック解除スイッチとトリガスイッチとを特別のスイッチ構成としなければならないので、コスト高になるという問題がある。
【０００９】
本発明は上記問題点を解消し、特別のスイッチを必要とせず、また大きなスペースがなくても安定的にロック作動とロック解除作動をさせることができるトリガロック機構を備えた携帯用切断機を提供することをその課題とする。
【課題を解決するための手段】
【００１０】
前記課題を解決するため、請求項１に係る発明は、電動モータとのこ刃を回転自在に支持した切断機本体の下部に被切断材上に載置される定盤を設け、上記のこ刃の下部を上記定盤に形成した開口部から下方に突出させ、上記電動モータの出力軸の回転を減速機構を介してのこ刃の回転軸に伝達させる携帯用切断機において、上記電動モータの作動回路のスイッチを設けたスイッチボックスと上記スイッチを押し離し可能に設けたトリガスイッチとの間に直進運動により挿脱可能に配置された第１のオフロックレバーと、一端が第１のオフロックレバーに係合し、切断機本体に揺動可能に設けられた第２のオフロックレバーとを設け、第２のオフロックレバーを揺動させることによって第１のオフロックレバーを上記スイッチボックスとトリガスイッチとの間から引き抜き作動させることを特徴とする。
【００１１】
請求項２に係る発明は、請求項１において、上記第１のオフロックレバーには、上記トリガスイッチとスイッチボックスとの間の隙間に挿脱可能なロック部の上部に開口枠部を形成し、第２のオフロックレバーは一端が上記開口枠部に係合し、他端に操作部を備えるとともに、中間部が切断機本体側に回動自在に支持されていることを特徴とする。
【発明の効果】
【００１２】
請求項１に係る発明によれば、スイッチボックスとトリガスイッチとの間に第１のオフロックレバーが直進運動により挿脱可能に配置されているので、スイッチボックスとトリガスイッチとの間には第１のオフロックレバーの厚さとほぼ同じ程度の隙間があればよい。したがって、トリガスイッチとスイッチボックスとの間の距離を短くすることができるので、トリガスイッチの操作とスイッチオン作動との間にほとんどタイムラグがなくなるから、操作性がよい。
【００１３】
また、第２のオフロックレバーの作動軌跡はスイッチボックスとトリガスイッチとの間の隙間には全く関係しない。つまり、第２のオフロックレバーの作動部は、第１のオフロックレバーを作動させるだけなので、十分に短くてもよい。したがって、第２のオフロックレバーを収納するスペースも小さくて済み、全体をよりコンパクトにすることができる。
【００１４】
したがって、特別のスイッチを必要とせず、また大きなスペースがなくても安定的にロック作動とロック解除作動をさせることができる。
【００１５】
請求項２に係る発明によれば、第１のオフロックレバーには、上記トリガスイッチとスイッチボックスとの間の隙間に挿脱可能なロック部の上部に開口枠部を形成し、第２のオフロックレバーは一端が上記開口枠部に係合し、他端に操作部を備えるとともに、中間部が切断機本体側に回動自在に支持されているので、第２のオフロックレバーの揺動を効果的に第１のオフロックレバーの直進運動に変換して請求項１による効果を実現することができる。
【図面の簡単な説明】
【００１６】
【図１】本発明に係る携帯用切断機の側面図
【図２】図１のＸ−Ｘ線上の断面図
【図３】上記携帯用切断機のトリガロック機構の拡大斜視図
【図４】図３の一部を断面で示す側面図
【図５】トリガロック機構の要部の斜視図
【図６】トリガロック機構のロック解除時の拡大斜視図
【図７】図６の一部を断面で示す側面図
【発明を実施するための形態】
【００１７】
図１及び図２において符号Ａは携帯用切断機を示す。この切断機は、のこ刃１とこののこ刃１を駆動する電動モータ２とを並設した切断機本体３を定盤６の上部に支持させ、切断機本体３の上部に操作用ハンドル４を前後方向に配置し、上記ハンドル４の後端下部に電動モータ駆動用のバッテリパック５を着脱自在に設けたものである。
【００１８】
電動モータ２の出力軸７には中間軸８の一端に固定した第１減速歯車１０が噛合し、さらに中間軸８の他端に固定した第２減速歯車１１が最終軸９に固定された第３減速歯車１２に噛合し、最終軸９にはのこ刃１が固定されている。これにより、電動モータ２が回転すると、その回転力は第１、第２、第３減速歯車１０、１１、１２を介して最終軸９に伝達され、のこ刃１が回転する。
【００１９】
また、定盤６は切断機本体３の下部に設けられた金属製の板状部材で、その一部には開口部６ａが貫通形成され、開口部６ａの下方にはのこ刃１の一部が露出し、円弧状のロアガード１４によって覆われている。このロアガード１４はのこ刃１の回転軸を中心に後方から上方に回動可能に装着されている。
【００２０】
さらに、操作用ハンドル４は、切断機本体３の上部に配置され、その前部は切断機本体３の前部のややモータハウジング１３側に一体的に設けられ、その後部は屈曲し、屈曲端部は切断機本体３の後面に一体的に設けられている。屈曲部４ａの下部と定盤６との間には、公知の着脱機構を備えたバッテリパック５の装着部が形成され、バッテリパック５は装着部の後方から差し込んで装着し、ロックを解除した後に引き抜いて外すことができるようになっている。
【００２１】
操作用ハンドル４の前部には電動モータ２のオンオフを制御するスイッチ機構と、トリガが不用意に作動しないようにロックするトリガロック機構が設けられている。
【００２２】
スイッチ機構は、図３及び図４に示されるように、トリガ１５と、上記操作ハンドル４の内部に設けられてトリガ１５と向き合うように配置されたスイッチボックス１６とから構成されている。トリガ１５の基部に設けられた突軸１７は、スイッチボックス１６に設けられた電動モータ２の作動回路のスイッチ１９を押圧可能に設けられている。トリガ１５は図示しないバネにより常時突軸１７がスイッチ１９から離反するように付勢され、トリガ１５を押し離しすることにより、突軸１７がスイッチ１９に接離して電動モータ２のスイッチがオンオフするように構成されている。上記スイッチ機構は特別のものではなく、汎用のスイッチ機構である。
【００２３】
次に、トリガロック機構は、詳しくは図５に示されるように、第１のオフロックレバー２０と、第１のオフロックレバー２０を作動させる第２のオフロックレバー２１とによって構成されている。
【００２４】
第１のオフロックレバー２０は、ロック部２２の上部に開口枠部１８を形成してなるもので、ロック部２２はトリガ１５とスイッチボックス１６との間の隙間に直進運動により挿脱可能に設けられている。開口枠部１８の上底面１８ａは下向きに傾斜し、開口部３３を小さくしている。また、開口枠部１８の上部にはバネ受け２３が形成され、このバネ受け２３と操作用ハンドルの内壁上面との間には圧縮バネ２４（図３、図４参照）が配置されている。この圧縮バネ２４により、ロック部２２は図４のように常時トリガ１５とスイッチボックス１６との間の隙間に入り込むように付勢されている。
【００２５】
なお、ロック部２２の両側にはロック部２２と直角をなすガイド片２５が形成されている。このガイド片２５は操作用ハンドル４側に形成されたガイド溝（図示せず）に係合している。これにより、第１のオフロックレバー２０が直進運動できるようにガイドされる。
【００２６】
第２のオフロックレバー２１は、操作用ハンドル４の内部に揺動可能に設けられ、両側に回動軸２６を有する中央部材２６ａの一方に第１のオフロックレバー２０の開口枠部１８の内側に進入する作動片２８を、他方に略Ｔ字形の操作部２７をそれぞれ突出形成したもので、回動軸２６の両端は、操作用ハンドル４の相対する両側壁に形成された軸受部（図示せず）に回動可能に嵌合している。操作部３０の両端３０ａは操作用ハンドル４の外側方に露出して外部から操作できるようになっている。なお、操作部２７には回動軸２６の外側には円弧状のガイド片２６ｂが形成されている。
【００２７】
上記トリガロック機構は操作ハンドル４の前部コーナー部の内部スペースＳに収容配置されている。このスペースには操作窓が開口し、操作部３０の両端３０ａはここから外方に突出している。上記窓部３１の内側には第２のオフロックレバー２１を貫通させるための貫通口の両側に円弧状のガイド壁３２が形成され、第２のオフロックレバー２１のガイド片２６ｂと操作部３０の両端３０ａを含む膨出部は、ガイド壁３２を挟むように配置されている。
【００２８】
上記構成によれば、通常は図３及び図４に示されるように、トリガ１５はバネ付勢によりスイッチボックス１６から離間する位置、つまりスイッチの接点から遠い位置にある。また、第１のオフロックレバー２０のロック部２２は圧縮バネ２４によりトリガ１５とスイッチボックス１６との間の隙間に入り込むように付勢されているから、上記隙間に挿入されている。これにより、トリガ１５が何らかの原因によってスイッチボックス１６側に移動するような外力を受けても、第１のオフロックレバー２０によりロックされているから、作動することはない。
【００２９】
これに対し、初めに第２のオフロックレバー２１の操作部３０を操作して揺動させると、図６及び図７に示されるように、回動軸２６を中心に作動片２８が揺動して第１のオフロックレバー２０の開口枠部１８を持ち上げるので、第１のオフロックレバー２０は上方に直進運動し、ロック部２２はトリガ１５とスイッチボックス１６との間の隙間から引き抜かれる。これにより、トリガ１５に干渉するものはなくなるから、この状態でトリガ１５の突軸１７を押し込み、スイッチボックス１６のスイッチ１９を押圧して電動モータ２作動させ、のこ刃を回転させることができる。
【００３０】
上述のように、スイッチボックス１６とトリガ１５との間に第１のオフロックレバー２０が直進運動により挿脱可能に配置されているので、スイッチボックス１６とトリガ１５との間には第１のオフロックレバー２０の厚さとほぼ同じ程度の隙間があればよい。したがって、トリガ１５とスイッチボックス１６との間の距離を短くすることができるので、トリガ１５の操作とスイッチオン作動との間にほとんどタイムラグがなくなるから、操作性がよい。
【００３１】
また、第２のオフロックレバー２１の作動軌跡はスイッチボックス１６とトリガ１５との間の隙間には全く関係しない。つまり、第２のオフロックレバー２１の作動部は、第１のオフロックレバー２０を作動させるだけなので、十分に短くてもよい。したがって、第２のオフロックレバー２１を収納するスペースも小さくて済み、全体をよりコンパクトにすることができる。
【符号の説明】
【００３２】
１  のこ刃
２  電動モータ
１５  トリガ
１６  スイッチボックス
２０  第１のオフロックレバー
２１第２のオフロックレバー
２５  ガイド片
【図１】
2010201601.tif 000003
【図２】
2010201601.tif 000004
【図３】
2010201601.tif 000005
【図４】
2010201601.tif 000006
【図５】
2010201601.tif 000007
【図６】
2010201601.tif 000008
【図７】
2010201601.tif 000009